(57)【特許請求の範囲】
【請求項１】
電話端末間の接続、及び電話の転送機能を有する電話交換機と、電話転送元となる第１の電話端末と、電話転送先となる第２の電話端末とを備え、
前記第１の電話端末と電話先端末との接続中に、前記第１の電話端末から前記第２の電話端末へ電話転送が行われる際に、前記第１の電話端末は前記第２の電話端末の電話番号情報を読み取って、電話転送要求とともに前記電話番号情報を前記電話交換機に送信し、前記電話交換機は、前記電話転送要求及び電話番号情報を受信し、前記第１の電話端末の状態情報を取得し、前記電話番号情報に基づいて前記第２端末に前記状態情報を送信し、
前記状態情報は発信中、着信中、通話中又は保留中の状態を示す情報を含む電話転送システム。
【請求項２】
電話端末間の接続、及び電話の転送機能を有する電話交換機と、電話転送元となる第１の電話端末と、電話転送先となる第２の電話端末とを備え、
前記第１の電話端末から前記第２の電話端末へ電話転送が行われる際に、前記第２の電話端末は前記第１の電話端末の電話番号情報を読み取って、電話転送要求とともに前記電話番号情報を前記電話交換機に送信し、前記電話交換機は、前記電話転送要求及び電話番号情報を受信し、前記電話番号情報により特定される前記第１の電話端末の状態情報を取得し、前記第２端末に前記状態情報を送信し、
前記状態情報は発信中、着信中、通話中又は保留中の状態を示す情報を含む電話転送システム。
【請求項３】
請求項１又は２に記載の電話転送システムにおいて、前記電話交換機は、前記第１の電話端末と通話先電話端末との間の通話時間と、電話転送後の前記第２の電話端末と前記通話先電話端末との間の通話時間との累計通話時間を管理することを特徴とする電話転送システム。
【請求項４】
転送元電話端末と電話先端末との接続中に、前記転送元電話端末から転送先電話端末へ電話転送が行われる際に、前記転送元電話端末から、電話転送要求とともに前記転送先電話端末の電話番号情報を受信し、前記転送元電話端末の状態情報を取得し、前記電話番号情報に基づいて前記転送先電話端末に前記状態情報を送信し、
前記状態情報は発信中、着信中、通話中又は保留中の状態を示す情報を含む電話交換機。
【請求項５】
電話端末間の電話転送が行われる際に、転送先電話端末から、電話転送要求とともに転送元電話端末の電話番号情報を受信し、前記電話番号情報により特定される前記転送元電話端末の状態情報を取得し、前記転送先電話端末に前記状態情報を送信し、
前記状態情報は発信中、着信中、通話中又は保留中の状態を示す情報を含む電話交換機。
【請求項６】
請求項４又は５に記載の電話交換機において、前記転送元電話端末と通話先電話端末との間の通話時間と、電話転送後の前記転送先電話端末と前記通話先電話端末との間の通話時間との累計通話時間を管理することを特徴とする電話交換機。
【請求項７】
電話交換機としてのコンピュータに、
転送元電話端末と電話先端末との接続中に、前記転送元電話端末から転送先電話端末へ電話転送が行われる際に、前記転送元電話端末から、電話転送要求とともに前記転送先電話端末の電話番号情報を受信する機能と、
前記転送元電話端末の状態情報を取得し、前記電話番号情報に基づいて前記転送先電話端末に前記状態情報を送信する機能と、
を実行させ、
前記状態情報は発信中、着信中、通話中又は保留中の状態を示す情報を含む電話転送プログラム。
【請求項８】
電話交換機としてのコンピュータに、
電話端末間の電話転送が行われる際に、転送先電話端末から、電話転送要求とともに転送元電話端末の電話番号情報を受信する機能と、
前記電話番号情報により特定される前記転送元電話端末の状態情報を取得し、前記転送先電話端末に前記状態情報を送信する機能と、
を実行させ、
前記状態情報は発信中、着信中、通話中又は保留中の状態を示す情報を含む電話転送プログラム。
【請求項９】
請求項７又は８に記載の電話転送プログラムにおいて、前記コンピュータに、前記転送元電話端末と通話先電話端末との間の通話時間と、電話転送後の前記転送先電話端末と前記通話先電話端末との間の通話時間との累計通話時間を管理する機能を実行させるための電話転送プログラム。
【発明の詳細な説明】
【技術分野】
【０００１】
本発明は電話転送システム、電話交換機、及び電話転送プログラムに係わり、特に電話端末間の接続、及び電話の転送機能を有する電話交換機と、転送元の電話端末と、転送先の電話端末とを備えた電話転送システム、電話交換機、及び電話転送プログラムに関する。
【背景技術】
【０００２】
従来の電話交換機では呼の転送を実施する際に、転送先電話端末の内線番号情報を転送元の電話端末のボタンにより手動で入力しなければならない。
【０００３】
一方、特許文献１にはダイヤルを押下せずに転送を行える発明が記載されている。図２は特許文献１に記載の発明の構成の一部分を示す図であり、電話端末１４もしくは電話端末１７に備え付けられているリーダ１５もしくはリーダ１８で、無線番号タグやバーコードタグである内線番号情報タグ１６もしくは内線番号情報タグ１９を読み取り、読み取った内線番号情報を複数の内線およびまたは外線を収容する主装置１３に送り転送の指示を行う。
【先行技術文献】
【特許文献】
【０００４】
【特許文献１】特開２００９−１４１５９０号公報
【発明の概要】
【発明が解決しようとする課題】
【０００５】
しかし、特許文献１に記載の電話転送方法は、転送は着信中、通話中のみの場合しか考慮されておらず、着信中か通話中以外は転送を行えないという課題がある。また従来の転送と同様に、転送を受けた端末は呼び出しに応答するという手間が必要であり、通話時間も前の端末から転送先の端末へ引き継ぐことができなかった。これは転送状態については着信中、通話中のみの場合しか考慮されていないためである。
【課題を解決するための手段】
【０００６】
本発明に係わる電話転送システムは、電話端末間の接続、及び電話の転送機能を有する電話交換機と、電話転送元となる第１の電話端末と、電話転送先となる第２の電話端末とを備え、
前記第１の電話端末と電話先端末との接続中に、前記第１の電話端末から前記第２の電話端末へ電話転送が行われる際に、前記第１の電話端末は前記第２の電話端末の電話番号情報を読み取って、電話転送要求とともに前記電話番号情報を前記電話交換機に送信し、前記電話交換機は、前記電話転送要求及び電話番号情報を受信し、前記第１の電話端末の状態情報を取得し、前記電話番号情報に基づいて前記第２端末に前記状態情報を送信し、
前記状態情報は発信中、着信中、通話中又は保留中の状態を示す情報を含む電話転送システムである。
【０００７】
また本発明に係わる電話転送システムは、電話端末間の接続、及び電話の転送機能を有する電話交換機と、電話転送元となる第１の電話端末と、電話転送先となる第２の電話端末とを備え、
前記第１の電話端末から前記第２の電話端末へ電話転送が行われる際に、前記第２の電話端末は前記第１の電話端末の電話番号情報を読み取って、電話転送要求とともに前記電話番号情報を前記電話交換機に送信し、前記電話交換機は、前記電話転送要求及び電話番号情報を受信し、前記電話番号情報により特定される前記第１の電話端末の状態情報を取得し、前記第２端末に前記状態情報を送信し、
前記状態情報は発信中、着信中、通話中又は保留中の状態を示す情報を含む電話転送システムである。
【０００８】
本発明に係わる電話交換機は、転送元電話端末と電話先端末との接続中に、前記転送元電話端末から転送先電話端末へ電話転送が行われる際に、前記転送元電話端末から、電話転送要求とともに前記転送先電話端末の電話番号情報を受信し、前記転送元電話端末の状態情報を取得し、前記電話番号情報に基づいて前記転送先電話端末に前記状態情報を送信し、
前記状態情報は発信中、着信中、通話中又は保留中の状態を示す情報を含む電話交換機である。
【０００９】
また本発明に係わる電話交換機は、電話端末間の電話転送が行われる際に、転送先電話端末から、電話転送要求とともに転送元電話端末の電話番号情報を受信し、前記電話番号情報により特定される前記転送元電話端末の状態情報を取得し、前記転送先電話端末に前記状態情報を送信し、
前記状態情報は発信中、着信中、通話中又は保留中の状態を示す情報を含む電話交換機である。
【００１０】
本発明に係わる電話転送プログラムは、電話交換機としてのコンピュータに、
転送元電話端末と電話先端末との接続中に、前記転送元電話端末から転送先電話端末へ電話転送が行われる際に、前記転送元電話端末から、電話転送要求とともに前記転送先電話端末の電話番号情報を受信する機能と、
前記転送元電話端末の状態情報を取得し、前記電話番号情報に基づいて前記転送先電話端末に前記状態情報を送信する機能と、
を実行させ、
前記状態情報は発信中、着信中、通話中又は保留中の状態を示す情報を含む電話転送プログラムである。
【００１１】
また本発明に係わる電話転送プログラムは、電話交換機としてのコンピュータに、
電話端末間の電話転送が行われる際に、転送先電話端末から、電話転送要求とともに転送元電話端末の電話番号情報を受信する機能と、
前記電話番号情報により特定される前記転送元電話端末の状態情報を取得し、前記転送先電話端末に前記状態情報を送信する機能と、
を実行させ、
前記状態情報は発信中、着信中、通話中又は保留中の状態を示す情報を含む電話転送プログラムである。
【発明の効果】
【００１２】
本発明によれば、発信中、着信中、通話中、保留中等の状態に関わらず、転送先電話端末での応答という手間も無く転送が行える。また、呼の状態や通話時間は転送元電話端末から転送先電話端末へ引き継ぐことができる。
【００１３】
そして、本発明によれば、内線番号情報の入力を行わずに、呼の状態に関わらず早急に転送を実施することができる。
【図面の簡単な説明】
【００１４】
【図１】背景技術の電話転送システムの構成図である。
【図２】本発明の一実施形態の電話転送システムの構成図である。
【図３】本実施形態の電話転送システムの動作を示すシーケンス図である。
【図４】呼の転送情報テーブルを示す図である。
【図５】本発明の他の実施形態の電話転送システムの構成図である。
【図６】本発明の一実施形態の、電話交換機となるコンピュータの構成例を示すブロック図である。
【発明を実施するための形態】
【００１５】
本実施形態の電話転送システムは、電話端末の接続や呼の制御、状態情報の管理、転送機能を有した電話交換機と、内線番号情報読み取り部（電話番号情報読み取り部となる）を有した無線もしくは有線の電話端末とを備えており、呼の状態にかかわらず現在使用している電話端末の状態を別の電話端末に転送先電話端末の内線番号（電話番号となる）を押下せず早急に転送できる電話転送システムである。このシステムでは、着信中、発信中、通話中、保留中等の状態と、それに伴う電話端末のボタン発光(保留時のみ保留ボタンの発光状態も転送を実施)、ＬＣＤ(ディスプレイ)の表示、トーンの音、通話時間などの状態情報を使用することにより、着信中、発信中、通話中、保留中等の状態も別の電話端末へ転送することが可能である。
【００１６】
図１は本発明の一実施形態の電話転送システムの構成図である。
【００１７】
まず、通話相手の内線、または外線端末である通話先端末と有線電話端末が通話中であり、無線電話端末に状態転送を実施する場合について説明する。
【００１８】
図１に示す電話転送システムにおいて、使用中の有線電話端末９（第１の電話端末となる）で内線番号情報読み取り操作を開始させる特殊なキー操作である状態転送キー(専用のボタンもしくは既存のボタンによる特定の操作)を押下する。その後、有線電話端末９の内線番号を読み取る接触または非接触のリーダである内線番号情報読み取り部１１に無線電話端末５（第２の電話端末となる）を接触させることにより内線番号が書き込まれたICチップ等を有する内線番号情報８（電話番号情報となる）を読み取り、有線電話端末９の呼を制御する呼制御部１０が電話交換機２へ、電話転送要求とともに内線番号情報８を送信する。なお、ここでは無線電話端末５の内線番号情報を読み取っているが、無線電話端末が内線番号情報でなく、外線番号情報を保持している場合もある。
【００１９】
電話交換機２に接続されている全電話端末の呼を制御する呼制御部４は通話先端末１の番号情報、使用中の有線電話端末９の発信中、着信中、通話中、保留中等の状態情報と、それに伴う有線電話端末９のランプ、ＬＣＤの表示、トーンの音、通話時間といった状態情報を取得する。本実施形態において、電話交換機２は常に全使用中端末の通話時間の把握を行なう。そして現在使用中の有線電話端末９から、転送先の無線電話端末５の内線番号情報８を受け取ると、受け取った内線番号情報８に基づいて、無線アクセスポイント３を介して転送先の無線電話端末５へ上記の状態情報の転送を行うことにより呼の状態を転送する。また有線電話端末９へも状態情報を送信し、復旧処理と、通話時間の表示を行う。その後無線電話端末５に有線電話端末９の状態が転送される。
【００２０】
通話が終了すると呼制御部４は無線アクセスポイント３を介して無線電話端末５へ状態情報を送信し、無線電話端末５で、復旧処理と、有線電話端末９の通話開始から無線電話端末５の通話終了までの通話時間の表示を行う。
【００２１】
また、上記とは逆に通話先端末と無線電話端末が通話中であり、有線電話端末に転送を実施する場合について説明する。
【００２２】
使用中の無線電話端末５で状態転送キーを押下した後、内線番号情報読み取り部７が転送先の有線電話端末９に接触させることで内線番号情報１２を読み取り、呼制御部６が無線アクセスポイント３を介して、電話転送要求とともに内線番号情報１２を電話交換機２へ転送する。
【００２３】
呼制御部４は上記と同様の状態情報を取得し、無線電話端末５から受け取った内線番号情報１２に基づいて転送先の有線電話端末９へ上記の状態情報の送信を行うことにより呼の状態を転送する。また無線電話端末５へも状態情報を送信し、復旧処理、通話時間の表示を行う。その後有線電話端末９に無線電話端末５の状態が転送される。
【００２４】
通話が終了すると呼制御部４は有線電話端末９へ状態情報を送信し復旧処理、無線電話端末５の通話開始から有線電話端末９の通話終了までの通話時間の表示を行う。
【００２５】
以下上記実施形態の電話転送システムの動作について更に図３のシーケンス図を用いて説明する。
【００２６】
図３のシーケンス図を用いて、通話先端末１と有線電話端末９が通話中であり、無線電話端末５に状態転送を実施する場合について説明する。
【００２７】
まず有線電話端末９にて状態転送キーを押下し、内線番号情報読み取り部１１を起動させ無線電話端末５の内線番号情報８を読み出し、電話交換機２に転送要求と内線番号情報８の情報を送信する。次に電話交換機２は転送先の無線電話端末５が通話可能(空き)状態か確認を行う。無線電話端末５は転送の可否を返信する。転送不可能な場合には電話交換機２が有線電話端末９に転送不可能のメッセージを送信し、呼は転送されずそのままの状態を維持し、無線電話端末５には影響を与えない。電話交換機２は無線電話端末５に転送可能な場合には発信中、着信中、保留中、通話中等の状態や通話時間等の状態情報を送信する。送信後、電話交換機２は有線電話端末９に対して復旧処理を行うと同時に通話時間を送信し表示を行う。その後無線電話端末５に有線電話端末９の状態が転送される。最後に、無線電話端末５の通話が終了すると復旧処理と同時に有線電話端末の通話開始から無線電話端末の通話終了までの通話時間を送信し表示を行う。電話交換機２は、有線電話端末９と通話先電話端末１との間の通話時間と、電話転送後の無線電話端末５と通話先電話端末１との間の通話時間との累計通話時間を管理しており、この累計通話時間により有線電話端末の通話開始から無線電話端末の通話終了までの通話時間が求められる。
【００２８】
また、この転送処理に使用する情報は図４に示す呼の転送情報テーブル２０を用いる。電話交換機２は通話が始まると呼の転送情報テーブル２０に現在使用中の有線電話端末９もしくは無線電話端末５の内線番号２１と通話先端末番号２３を記録する。また、通話中に変化する通話時間２４と呼の状態情報２５は変化するたびに記録を行う。
【００２９】
転送処理が始まり状態転送キーを押下した後、現在使用中の有線電話端末９もしくは無線電話端末５は転送先の有線電話端末９もしくは無線電話端末５の内線番号２２を電話交換機２に送信し、電話交換機２は呼の転送情報テーブル２０にこれを保存する。電話交換機２は転送先の有線電話端末９もしくは無線電話端末５の内線番号２２が通話可能状態か確認を行い、通話可能な場合には記録を行っている通話先端末番号２３、通話時間２４、呼の状態情報２５を送信する。ここで送信される通話時間２４と呼の状態情報２５は有線電話端末９の状態情報となる。転送が完了すると、呼の転送情報テーブル２０に記録されている現在使用中の有線電話端末９もしくは無線電話端末５の内線番号２１には、転送先の有線電話端末９もしくは無線電話端末５の内線番号２２を上書きする。
【００３０】
さらに図３のシーケンス図では転送元の有線電話端末９が転送先の無線電話端末５の内線番号情報を読み出したが、図５の様に転送先の無線電話端末５が転送元の有線電話端末を読み出すパターンもある。この場合では状態転送キーを押下するのは転送先の無線電話端末５であり、電話交換機２に転送要求、転送元の有線電話端末９の内線番号情報を送信する。この内線番号情報により送信元の電話端末が特定されることになる。転送要求、と内線番号情報との送信は、同時に転送先の無線電話端末５は転送可能状態であるということを電話交換機２に伝えることにもなるため、転送元の有線電話端末９と電話交換機２のやり取りを減らすことが出来る。図３のシーケンスによる動作では、転送元となる有線電話端末側の操作で転送動作を開始することができるが、図５のシーケンスによる動作では、転送先となる無線電話端末側の操作で転送動作を開始することができる。
【００３１】
本実施形態では有線電話端末から無線電話端末への転送、及び無線電話端末から有線電話端末への転送の場合について説明したが、有線電話端末同士、無線電話端末同士の転送も行う場合にも本発明を適用することが出来る。
【００３２】
上述した実施形態に係わる電話交換機はハードウェアで構成されるが、ソフトウェアで実現することもできる。図６は本発明に係る電話交換機をコンピュータで構成した一構成例を示すブロック図である。コンピュータを、プログラムを記憶したハードディスク装置等のディスク装置１０１、電話端末と通信を行う通信部１０２、ＤＲＡＭ１０３等のメモリ、ＣＰＵ１０４、各部を接続するバス１０５で構成する。図３及び図５を用いて説明した電話交換機の動作をプログラムで記述し、このプログラムをディスク装置１０１に記憶し、演算に必要な情報をＲＡＭ１０３に記憶し、ＣＰＵ１０４で当該プログラムを動作させることで、本実施形態に係わる電話交換機の機能をプログラムで実現することができる。
【００３３】
以上説明したように、本実施形態では、呼を着信中、発信中、通話中、保留中等の状態に関係なく他の電話端末に転送できる。これにより早急に有線電話端末や無線電話端末の転送が行える。
【００３４】
従来の転送では、転送を受けた端末は呼び出しに応答するという手間が必要であったが、本実施形態では状態をそのまま転送するため、早急に通話や保留の状態になることができ、通話開始以後に行った転送では通話時間も引き継ぐことができる。
【００３５】
また、発信中に転送を実施することで、有線電話端末から発信したが急用のため席を外すことになり無線電話端末に引き継ぎたい場合や、無線電話端末で通話を行っていたが有線電話端末に変更したい場合など、早急に呼の状態に関わらず転送を行うことができる。また、端末が変わっても通話時間は引き継ぐことができる。また、無線電話端末から電話帳機能を用いて通話先端末に発信を行い、その呼を有線電話端末転送することで、有線電話端末の電話帳に通話先端末の番号が入力されていなくても直接番号を入力することなく発信を行うことが出来る。
【００３６】
なお、従来の電話端末にも保留転送という機能は存在するが、これは保留中に呼を転送するだけの機能であり、本実施形態では従来とは違い転送する呼は保留中のままの状態で受け取ることができる。
【００３７】
上記の実施形態の一部又は全部は、以下の付記のようにも記載されうるが、以下の構成には限られない。
【００３８】
（付記１）
電話端末間の接続、及び電話の転送機能を有する電話交換機と、電話転送元となる第１の電話端末と、電話転送先となる第２の電話端末とを備え、
前記第１の電話端末から前記第２の電話端末へ電話転送が行われる際に、前記第１の電話端末は前記第２の電話端末の電話番号情報を読み取って、電話転送要求とともに前記電話番号情報を前記電話交換機に送信し、前記電話交換機は、前記電話転送要求及び電話番号情報を受信し、前記第１の電話端末の状態情報を取得し、前記電話番号情報に基づいて前記第２端末に前記状態情報を送信する電話転送システム。
【００３９】
（付記２）
電話端末間の接続、及び電話の転送機能を有する電話交換機と、電話転送元となる第１の電話端末と、電話転送先となる第２の電話端末とを備え、
前記第１の電話端末から前記第２の電話端末へ電話転送が行われる際に、前記第２の電話端末は前記第１の電話端末の電話番号情報を読み取って、電話転送要求とともに前記電話番号情報を前記電話交換機に送信し、前記電話交換機は、前記電話転送要求及び電話番号情報を受信し、前記電話番号情報により特定される前記第１の電話端末の状態情報を取得し、前記第２端末に前記状態情報を送信する電話転送システム。
【００４０】
（付記３）
付記１又は２の電話転送システムにおいて、前記電話交換機は、前記第１の電話端末と通話先電話端末との間の通話時間と、電話転送後の前記第２の電話端末と前記通話先電話端末との間の通話時間との累計通話時間を管理することを特徴とする電話転送システム。
【００４１】
（付記４）
電話端末間の電話転送が行われる際に、転送元電話端末から、電話転送要求とともに転送先電話端末の電話番号情報を受信し、前記転送元電話端末の状態情報を取得し、前記電話番号情報に基づいて前記転送先電話端末に前記状態情報を送信する電話交換機。
【００４２】
（付記５）
電話端末間の電話転送が行われる際に、転送先電話端末から、電話転送要求とともに転送元電話端末の電話番号情報を受信し、前記電話番号情報により特定される前記転送元電話端末の状態情報を取得し、前記転送先電話端末に前記状態情報を送信する電話交換機。
【００４３】
（付記６）
付記４又は５の電話交換機において、前記転送元電話端末と通話先電話端末との間の通話時間と、電話転送後の前記転送先電話端末と前記通話先電話端末との間の通話時間との累計通話時間を管理することを特徴とする電話交換機。
【００４４】
（付記７）
電話交換機としてのコンピュータに、
電話端末間の電話転送が行われる際に、転送元電話端末から、電話転送要求とともに転送先電話端末の電話番号情報を受信する機能と、
前記転送元電話端末の状態情報を取得し、前記電話番号情報に基づいて前記転送先電話端末に前記状態情報を送信する機能と、
を実行させるための電話転送プログラム。
【００４５】
（付記８）
電話交換機としてのコンピュータに、
電話端末間の電話転送が行われる際に、転送先電話端末から、電話転送要求とともに転送元電話端末の電話番号情報を受信する機能と、
前記電話番号情報により特定される前記転送元電話端末の状態情報を取得し、前記転送先電話端末に前記状態情報を送信する機能と、
を実行させるための電話転送プログラム。
【００４６】
（付記９）
付記７又は８の電話転送プログラムにおいて、前記コンピュータに、前記転送元電話端末と通話先電話端末との間の通話時間と、電話転送後の前記転送先電話端末と前記通話先電話端末との間の通話時間との累計通話時間を管理する機能を実行させるための電話転送プログラム。
【００４７】
（付記１０）
電話端末間の電話転送が行われる際に、転送元電話端末から、電話転送要求とともに転送先電話端末の電話番号情報を受信し、前記転送元電話端末の状態情報を取得し、前記電話番号情報に基づいて前記転送先電話端末に前記状態情報を送信する電話交換機の電話転送方法。
【００４８】
（付記１１）
電話端末間の電話転送が行われる際に、転送先電話端末から、電話転送要求とともに転送元電話端末の電話番号情報を受信し、前記電話番号情報により特定される前記転送元電話端末の状態情報を取得し、前記転送先電話端末に前記状態情報を送信する電話交換機の電話転送方法。
【００４９】
（付記１２）
付記１０又は１１の電話転送方法において、前記転送元電話端末と通話先電話端末との間の通話時間と、電話転送後の前記転送先電話端末と前記通話先電話端末との間の通話時間との累計通話時間を管理することを特徴とする電話交換機の電話転送方法。
【符号の説明】
【００５０】
１  通話先端末
２  電話交換機
３  無線アクセスポイント
４、６、１０  呼制御部
５  無線電話端末
７、１１  内線番号情報読み取り部
８、１２  内線番号情報
９    有線電話端末
【図１】
0005483470.tif 000002
【図２】
0005483470.tif 000003
【図３】
0005483470.tif 000004
【図４】
0005483470.tif 000005
【図５】
0005483470.tif 000006
【図６】
0005483470.tif 000007